【手続補正書】
【提出日】平成19年3月9日(2007.3.9)
【手続補正１】
【補正対象書類名】明細書
【補正対象項目名】特許請求の範囲
【補正方法】変更
【補正の内容】
【特許請求の範囲】
【請求項１】  ネットワークを介して接続される、サービス提供者が管理する情報処理装置と、顧客が有する端末装置とからなる番組録画支援システムにおいて、
前記情報処理装置は、
前記端末装置との情報の授受を制御する第１の入出力制御手段と、
番組情報の記録を制御する第１の記録制御手段と、
顧客情報の記録を制御する第２の記録制御手段と、
録画予約される番組のセットを示す第１の情報を生成する第１の生成手段と、
前記顧客毎の前記第１の情報の購読に関する第２の情報の記録を制御する第３の記録制御手段と、
前記第１の入出力制御手段により入力が制御された第３の情報を基に、前記第３の記録制御手段により記録が制御された前記第２の情報を更新する更新手段と
を備え、
前記第１の入出力制御手段は、前記第１の情報の、対応する前記顧客が有する前記端末装置への出力を制御し、
前記端末装置は、
番組を取得する取得手段と、
前記情報処理装置との情報の授受を制御する第２の入出力制御手段と、
前記顧客が実行した操作の入力を制御する入力制御手段と、
前記第２の入出力制御手段により入力が制御された前記第１の情報に基づいて、前記取得手段により取得された前記番組の録画を設定する録画設定手段と
を備え、
前記第２の入出力制御手段は、前記入力制御手段により入力が制御された前記第３の情報の、前記情報処理装置への出力を制御する
ことを特徴とする番組録画支援システム。
【請求項２】  前記第２の記録制御手段により記録が制御された前記顧客情報は、前記顧客に関する情報と、前記顧客が有する前記端末装置とを区別して管理している
ことを特徴とする請求項１に記載の番組録画支援システム。
【請求項３】  前記第１の生成手段は、前記第１の記録制御手段により記録が制御された前記番組情報、前記第２の記録制御手段により記録が制御された前記顧客情報、および、前記第３の記録制御手段により記録が制御された前記第２の情報を基に、前記第１の情報を生成する
ことを特徴とする請求項１に記載の番組録画支援システム。
【請求項４】  前記情報処理装置は、
前記第１の入出力制御手段により入力が制御された前記第３の情報に基づいて、前記第１の生成手段による前記第１の情報の生成を変更する変更手段を更に備え、
前記端末装置の前記入力制御手段により入力が制御された前記第３の情報は、
前記録画設定手段により設定された前記番組の録画結果に対する前記顧客の評価を示す情報である
ことを特徴とする請求項１に記載の番組録画支援システム。
【請求項５】  前記情報処理装置は、
前記第２の記録制御手段により記録が制御された前記顧客情報、および前記第３の記録制御手段により記録が制御された前記第２の情報を基に、複数のプロファイルを生成する第２の生成手段を更に備え、
前記第１の入出力制御手段は、第２の生成手段により生成された複数の前記プロファイルの、前記端末装置への出力を制御し、かつ、前記顧客が選択した前記プロファイルを示す第４の情報の、前記端末装置からの入力を制御し、
前記第１の生成手段は、前記第１の記録制御手段により記録が制御された前記番組情報、および、前記第２の生成手段により生成された前記プロファイルを基に、前記第１の情報を生成し、
前記更新手段は、前記第１の入出力制御手段により入力が制御された前記第４の情報を基に、前記第３の記録制御手段により記録が制御された前記第２の情報を、更に更新し、
前記端末装置は、
前記第２の入出力制御手段により入力が制御された前記プロファイルの表示を制御する表示制御手段を更に備え、
前記入力制御手段は、前記表示制御手段により表示が制御された前記プロファイルを参照した前記顧客による前記プロファイルの選択を示す前記第４の情報の入力を制御し、
前記第２の入出力制御手段は、前記入力制御手段により入力が制御された前記第４の情報の、前記情報処理装置への出力を制御する
ことを特徴とする請求項１に記載の番組録画支援システム。
【請求項６】  前記情報処理装置は、
前記第１の入出力制御手段により入力が制御された前記第３の情報に基づいて、前記第１の生成手段による前記第１の情報の生成を変更する変更手段を更に備え、
前記端末装置の前記入力制御手段により入力が制御された前記第３の情報は、前記プロファイルに対する前記顧客の評価を示す情報である
ことを特徴とする請求項５に記載の番組録画支援システム。
【請求項７】  前記情報処理装置は、
前記第１の生成手段により生成された前記第１の情報から、前記第１の入出力制御手段により入力が制御された前記第４の情報に合致した前記第１の情報を抽出する抽出手段を更に備え、
前記第１の入出力制御手段は、対応する前記第４の情報を出力した前記端末装置への、前記抽出手段により抽出された前記第１の情報の出力を制御する
ことを特徴とする請求項５に記載の番組録画支援システム。
【請求項８】  前記第１の生成手段は、前記第１の情報を、所定の期間毎に生成し、
前記第１の入出力制御手段は、前記第１の生成手段により、所定の期間毎に生成された前記第１の情報の、前記端末装置への出力を制御する
ことを特徴とする請求項５に記載の番組録画支援システム。
【請求項９】  前記情報処理装置は、
前記第１の入出力制御手段により入力が制御された前記第３の情報に基づいて、前記第２の生成手段による前記プロファイルの生成を変更する変更手段を更に備え、
前記端末装置の前記入力制御手段により入力が制御された前記第３の情報は、前記プロファイルに対する前記顧客の評価を示す情報である
ことを特徴とする請求項５に記載の番組録画支援システム。
【請求項１０】  前記情報処理装置は、
前記第１の入出力制御手段により入力が制御された前記第３の情報に基づいて、前記第２の生成手段による前記プロファイルの生成を変更する変更手段を更に備え、
前記端末装置の前記入力制御手段により入力が制御された前記第３の情報は、前記録画設定手段により設定された前記番組の録画結果に対する前記顧客の評価を示す情報である
ことを特徴とする請求項５に記載の番組録画支援システム。
【請求項１１】  前記情報処理装置は、
前記更新手段により更新された前記第３の記録制御手段により記録が制御された前記第２の情報を統計処理する統計処理手段と、
前記統計処理手段による統計処理結果を基に、前記第１の生成手段による前記第１の情報の生成を変更する変更手段と
を更に備えることを特徴とする請求項１に記載の番組録画支援システム。
【請求項１２】  前記情報処理装置は、
前記更新手段により更新された前記第３の記録制御手段により記録が制御された前記第２の情報を統計処理する統計処理手段と、
前記統計処理手段による統計処理結果を基に、前記第２の生成手段による前記プロファイルの生成を変更する変更手段と
を更に備えることを特徴とする請求項５に記載の番組録画支援システム。
【請求項１３】  前記情報処理装置は、
前記第２の記録制御手段により記録が制御された前記顧客情報、および前記第３の記録制御手段により記録が制御された前記第２の情報を基に、複数のプロファイルを生成する第２の生成手段を更に備え、
前記第１の入出力制御手段は、第２の生成手段により生成された複数の前記プロファイルの、前記端末装置への出力を制御し、
前記第１の生成手段は、前記第１の記録制御手段により記録が制御された前記番組情報、および、前記第２の生成手段により生成された前記プロファイルを基に、前記第１の情報を生成し、
前記端末装置は、
前記第２の入出力制御手段により入力が制御された前記プロファイルの表示を制御する表示制御手段と、
前記第２の入出力制御手段により入力が制御された前記第１の情報から、前記入力制御手段により入力が制御された第４の情報に合致する前記第１の情報を抽出する抽出手段と
を更に備え、
前記入力制御手段は、前記表示制御手段により表示が制御された前記プロファイルを参照した前記顧客による前記プロファイルの選択を示す前記第４の情報の入力を制御し、
前記録画設定手段は、前記抽出手段により抽出された前記第１の情報に基づいて、前記取得手段により取得された前記番組の録画を設定する
ことを特徴とする請求項１に記載の番組録画支援システム。
【請求項１４】  前記端末装置は、
前記第２の入出力制御手段により入力が制御された前記第１の情報の表示を制御する第１の表示制御手段と、
前記入力制御手段により入力が制御された前記第３の情報を基に、前記第１の情報を変更する第１の変更手段と
を更に備え、
前記第３の情報は、前記第１の表示制御手段により表示が制御された前記第１の情報を参照した前記顧客が前記第１の情報に対する変更を指示するための情報であり、
前記録画設定手段は、前記第１の変更手段により変更された前記第１の情報に従って、前記取得手段により取得された前記番組の録画を設定する
ことを特徴とする請求項１に記載の番組録画支援システム。
【請求項１５】  前記端末装置は、
前記第１の表示制御手段により表示が制御された前記第１の情報を参照した前記顧客に対して、前記第１の情報の変更を指示する指令の入力を促すためのメッセージの表示を制御する第２の表示制御手段を更に備える
ことを特徴とする請求項１４に記載の番組録画支援システム。
【請求項１６】  前記端末装置は、
前記入力制御手段により入力が制御された前記第３の情報の記録を制御する第４の記録制御手段を更に備え、
前記録画設定手段は、前記第４の記録制御手段により記録が制御された前記第３の情報に更に従って、前記取得手段により取得された前記番組の録画を設定する
ことを特徴とする請求項１４に記載の番組録画支援システム。
【請求項１７】  前記情報処理装置は、
前記第１の入出力制御手段により入力が制御された前記第３の情報の記録を制御する第４の記録制御手段と、
前記第４の記録制御手段により記録が制御された前記第３の情報に基づいて、前記第１の生成手段により生成された前記第１の情報の生成を変更する第２の変更手段と
を更に備え、
前記第３の情報は、前記端末装置の前記入力制御手段により入力が制御された前記第１の情報に対する変更を指示するための情報である
ことを特徴とする請求項１４に記載の番組録画支援システム。
【請求項１８】  前記情報処理装置は、
前記第１の入出力制御手段により入力が制御された前記第３の情報の記録を制御する第４の記録制御手段と、
前記第４の記録制御手段により記録が制御された前記第３の情報に基づいて、前記第２の生成手段により生成された前記プロファイルの生成を変更する第２の変更手段と
を更に備え、
前記第３の情報は、前記端末装置の前記入力制御手段により入力が制御された前記第１の情報に対する変更を指示するための情報である
ことを特徴とする請求項１４に記載の番組録画支援システム。
【請求項１９】  前記情報処理装置は、
前記更新手段により更新された、前記第３の記録制御手段により記録が制御された前記第２の情報を統計処理する統計処理手段と、
前記統計処理手段による統計結果を基に、前記顧客の嗜好に合った所定の番組を録画するための情報である第４の情報を生成する第２の生成手段と
を更に備え、
前記第１の入出力制御手段は、前記第１の情報とともに、前記第２の生成手段により生成された前記第４の情報の、前記端末装置への出力を制御する
ことを特徴とする請求項１に記載の番組録画支援システム。
【請求項２０】  前記第４の情報には、推薦する番組を録画するための情報が含まれる
ことを特徴とする請求項１９に記載の番組録画支援システム。
【請求項２１】  前記第４の情報には、広告番組、あるいは宣伝番組を録画するための情報が含まれる
ことを特徴とする請求項１９に記載の番組録画支援システム。
【請求項２２】  ネットワークを介して接続される、サービス提供者が管理する情報処理装置と、顧客が有する端末装置とからなる番組録画支援システムの番組録画支援方法において、
前記情報処理装置の情報処理方法は、
前記端末装置との情報の授受を制御する第１の入出力制御ステップと、
番組情報の記録を制御する第１の記録制御ステップと、
顧客情報の記録を制御する第２の記録制御ステップと、
録画予約される番組のセットを示す第１の情報を生成する第１の生成ステップと、
前記顧客毎の前記第１の情報の購読に関する第２の情報の記録を制御する第３の記録制御ステップと、
前記第１の入出力制御ステップの処理により入力が制御された第３の情報を基に、前記第３の記録制御ステップの処理により記録が制御された前記第２の情報を更新する更新手段と
を含み、
前記第１の入出力制御ステップでは、前記第１の情報の、対応する前記顧客が有する前記端末装置への出力を制御し、
前記端末装置の情報処理方法は、
番組を取得する取得ステップと、
前記情報処理装置との情報の授受を制御する第２の入出力制御ステップと、
前記顧客が実行した操作の入力を制御する入力制御ステップと、
前記第２の入出力制御ステップの処理により入力が制御された前記第１の情報に基づいて、前記取得ステップの処理により取得された前記番組の録画を設定する録画設定ステップと
を含み、
前記第２の入出力制御ステップでは、前記入力制御ステップの処理により入力が制御された前記第３の情報の、前記情報処理装置への出力を制御する
ことを特徴とする番組録画支援方法。
【請求項２３】  ネットワークを介して接続される、サービス提供者が管理する情報処理装置と、顧客が有する端末装置とからなる番組視聴サービスシステムにおいて、
前記情報処理装置は、
所定の番組を意味内容に沿って構成要素に分割する分割手段と、
前記構成要素の内容を示す構成要素情報を生成する生成手段と、
前記構成要素情報の記録を制御する記録制御手段と、
前記記録制御手段により記録が制御された前記構成要素情報に対応する前記構成要素を参照する参照手段と、
前記端末装置との情報の授受を制御する第１の入出力制御手段と
を備え、
前記第１の入出力制御手段は、前記構成要素情報、および前記番組の前記端末装置への出力を制御し、
前記端末装置は、
前記情報処理装置との情報の授受を制御する第２の入出力制御手段と、
前記第２の入出力制御手段により入力が制御された前記構成要素情報に基づいて、前記第２の入出力制御手段により入力が制御された前記番組の再生を制御する再生制御手段と
を備えることを特徴とする番組視聴サービスシステム。
【請求項２４】  前記端末装置は、
前記再生制御手段により再生が制御される前記番組と同期するように、前記第２の入出力制御手段により入力が制御された前記構成要素情報の表示を制御する表示制御手段
を更に備えることを特徴とする請求項２３に記載の番組視聴サービスシステム。
【請求項２５】  ネットワークを介して接続される、サービス提供者が管理する情報処理装置と、顧客が有する端末装置とからなる番組視聴サービスシステムの番組視聴サービスシステム提供方法において、
前記情報処理装置の情報処理方法は、
所定の番組を意味内容に沿って構成要素に分割する分割ステップと、
前記構成要素の内容を示す構成要素情報を生成する生成ステップと、
前記構成要素情報の記録を制御する記録制御ステップと、
前記記録制御ステップの処理により記録が制御された前記構成要素情報に対応する前記構成要素を参照する参照ステップと、
前記端末装置との情報の授受を制御する第１の入出力制御ステップと
を含み、
前記第１の入出力制御ステップでは、前記構成要素情報、および前記番組の前記端末装置への出力を制御し、
前記端末装置の情報処理方法は、
前記情報処理装置との情報の授受を制御する第２の入出力制御ステップと、
前記第２の入出力制御ステップの処理により入力が制御された前記構成要素情報に基づいて、前記第２の入出力制御ステップの処理により入力が制御された前記番組の再生を制御する再生制御ステップと
を含むことを特徴とする番組視聴サービス提供方法。
【請求項２６】  ネットワークを介して接続される、サービス提供者が管理する情報処理装置と、顧客が有する端末装置とからなる番組視聴サービスシステムにおいて、
前記情報処理装置は、
複数の番組の記録を制御する第１の記録制御手段と、
所定の前記番組を意味内容に沿って構成要素に分割する分割手段と、
前記構成要素の内容を示す第１の情報を生成する第１の生成手段と、
前記第１の情報の記録を制御する第２の記録制御手段と、
前記第２の記録制御手段により記録が制御された前記第１の情報に基づいて、
前記第１の記録制御手段により記録が制御された複数の前記番組を再構成して第２の情報を生成する第２の生成手段と、
前記端末装置との情報の授受を制御する第１の入出力制御手段と
を備え、
前記第１の入出力制御手段は、前記第２の情報の前記端末装置への出力を制御し、
前記端末装置は、
前記情報処理装置との情報の授受を制御する第２の入出力制御手段と、
前記第２の入出力制御手段により入力が制御された前記第２の情報の表示を制御する第１の表示制御手段と
を備えることを特徴とする番組視聴サービスシステム。
【請求項２７】  前記情報処理装置の前記第１の入出力制御手段は、前記第１の情報の前記端末装置への出力を更に制御し、
前記端末装置は、
前記第２の入出力制御手段により入力が制御された前記第１の情報の表示を制御する第２の表示制御手段と、
前記第２の表示制御手段により表示が制御された前記第１の情報を参照した前記顧客が、前記第１の情報より所望のものを選択する操作を示す信号の入力を制御する入力制御手段と
を更に備え、
前記第１の表示制御手段は、前記入力制御手段により入力が制御された前記操作を示す信号を基に、前記第２の情報の表示を制御する
ことを特徴とする請求項２６に記載の番組視聴サービスシステム。
【請求項２８】  前記端末装置の前記第２の表示制御手段は、前記第１の表示制御手段により表示が制御された前記第２の情報と同期するように前記第１の情報の表示を制御する
ことを特徴とする請求項２７に記載の番組視聴サービスシステム。
【請求項２９】  ネットワークを介して接続される、サービス提供者が管理する情報処理装置と、顧客が有する端末装置とからなる番組視聴サービスシステムの番組視聴サービス提供方法において、
前記情報処理装置の情報処理方法は、
複数の番組の記録を制御する第１の記録制御ステップと、
所定の前記番組を意味内容に沿って構成要素に分割する分割ステップと、
前記構成要素の内容を示す第１の情報を生成する第１の生成ステップと、
前記第１の情報の記録を制御する第２の記録制御ステップと、
前記第２の記録制御ステップの処理により記録が制御された前記第１の情報に基づいて、前記第１の記録制御ステップの処理により記録が制御された複数の前記番組を再構成して第２の情報を生成する第２の生成ステップと、
前記端末装置との情報の授受を制御する第１の入出力制御ステップと
を含み、
前記第１の入出力制御ステップでは、前記第２の情報の前記端末装置への出力を制御し、
前記端末装置の情報処理方法は、
前記情報処理装置との情報の授受を制御する第２の入出力制御ステップと、
前記第２の入出力制御ステップの処理により入力が制御された前記第２の情報の表示を制御する第１の表示制御ステップと
を含むことを特徴とする番組視聴サービス提供方法。
【請求項３０】  ネットワークを介して接続される、サービス提供者が管理する情報処理装置と、顧客が有する端末装置とからなる番組視聴サービスシステムにおいて、
前記情報処理装置は、
前記端末装置との情報の授受を制御する第１の入出力制御手段と、
番組情報の記録を制御する第１の記録制御手段と、
顧客情報の記録を制御する第２の記録制御手段と、
所定の番組を意味内容に沿って構成要素に分割する分割手段と、
前記構成要素の内容を示す第１の情報を生成する第１の生成手段と、
前記第１の情報に対応する前記構成要素を参照する参照手段と、
前記第１の情報の記録を制御する第３の記録制御手段と、
録画予約される前記番組のセットを示す第２の情報を生成する第２の生成手段と、
前記顧客毎の前記第２の情報の購読に関する第３の情報の記録を制御する第４の記録制御手段と
を備え、
前記第１の入出力制御手段は、前記第１の情報および前記第２の情報の、対応する前記顧客が有する前記端末装置への出力を制御し、
前記端末装置は、
番組を取得する取得手段と、
前記情報処理装置との情報の授受を制御する第２の入出力制御手段と、
前記顧客が実行した操作の入力を制御する入力制御手段と、
前記第２の入出力制御手段により入力が制御された前記第２の情報に基づい
て、前記取得手段により取得された前記番組の録画を設定する録画設定手段と、
前記録画設定手段により録画された前記番組の記録を制御する第５の記録制御手段と、
前記第２の入出力制御手段により入力が制御された前記第１の情報に基づいて、前記第５の記録制御手段により記録が制御された複数の前記番組を再構成して第４の情報を生成する第３の生成手段と
を備えることを特徴とする番組視聴サービスシステム。
【請求項３１】  前記情報処理装置の前記第２の生成手段は、前記第１の記録制御手段により記録が制御された前記番組情報、前記第２の記録制御手段により記録が制御された前記顧客情報、および、前記第４の記録制御手段により記録が制御された前記第３の情報に基づいて、前記第２の情報を生成する
ことを特徴とする請求項３０に記載の番組視聴サービスシステム。
【請求項３２】  前記情報処理装置は、
前記第２の記録制御手段により記録が制御された前記顧客情報、および前記第４の記録制御手段により記録が制御された前記第３の情報を基に、複数のプロファイルを生成する第４の生成手段を更に備え、
前記第１の入出力制御手段は、第４の生成手段により生成された複数の前記プロファイルの、前記端末装置への出力を更に制御し、かつ、前記顧客が選択した前記プロファイルを示す第５の情報の、前記端末装置からの入力を制御し、
前記第２の生成手段は、前記第１の記録制御手段により記録が制御された前記番組情報、および、前記第４の生成手段により生成された前記プロファイルを基に、前記第２の情報を生成し、
前記端末装置は、
前記第２の入出力制御手段により入力が制御されたプロファイルの表示を制御する表示制御手段を更に備え、
前記入力制御手段は、前記表示制御手段により表示が制御された前記プロファイルを参照した前記顧客による前記プロファイルの選択を示す前記第５の情報の入力を制御し、
前記第２の入出力制御手段は、前記入力制御手段により入力が制御された前記第５の情報の、前記情報処理装置への出力を制御する
ことを特徴とする請求項３０に記載の番組視聴サービスシステム。
【請求項３３】  ネットワークを介して接続される、サービス提供者が管理する情報処理装置と、顧客が有する端末装置とからなる番組視聴サービスシステムの番組視聴サービス提供方法において、
前記情報処理装置の情報処理方法は、
前記端末装置との情報の授受を制御する第１の入出力制御ステップと、
番組情報の記録を制御する第１の記録制御ステップと、
顧客情報の記録を制御する第２の記録制御ステップと、
所定の番組を意味内容に沿って構成要素に分割する分割ステップと、
前記構成要素の内容を示す第１の情報を生成する第１の生成ステップと、
前記第１の情報に対応する前記構成要素を参照する参照ステップと、
前記第１の情報の記録を制御する第３の記録制御ステップと、
録画予約される前記番組のセットを示す第２の情報を生成する第２の生成ステップと、
前記顧客毎の前記第２の情報の購読に関する第３の情報の記録を制御する第４の記録制御ステップと
を含み、
前記第１の入出力制御ステップでは、前記第１の情報および前記第２の情報の、対応する前記顧客が有する前記端末装置への出力を制御し、
前記端末装置の情報処理方法は、
番組を取得する取得ステップと、
前記情報処理装置との情報の授受を制御する第２の入出力制御ステップと、
前記顧客が実行した操作の入力を制御する入力制御ステップと、
前記第２の入出力制御ステップの処理により入力が制御された前記第２の情報に基づいて、前記取得ステップの処理により取得された前記番組の録画を設定する録画設定ステップと、
前記録画設定ステップの処理により録画された前記番組の記録を制御する第５の記録制御ステップと、
前記第２の入出力制御ステップの処理により入力が制御された前記第１の情報に基づいて、前記第５の記録制御ステップの処理により記録が制御された複数の前記番組を再構成して第４の情報を生成する第３の生成ステップと
を含むことを特徴とする番組視聴サービス提供方法。
【請求項３４】  ネットワークを介して接続される、サービス提供者が管理する情報処理装置と、顧客が有する端末装置とからなる番組視聴サービスシステムにおいて、
前記情報処理装置は、
所定の番組を意味内容に沿って構成要素に分割された第１の情報、および、前記構成要素の内容を示す第２の情報を取得する取得手段と、
前記第１の情報および前記第２の情報の記録を制御する記録制御手段と、
前記記録制御手段により記録が制御された前記第２の情報に対応する前記構成要素を参照する参照手段と、
前記端末装置との情報の授受を制御する第１の入出力制御手段と
を備え、
前記第１の入出力制御手段は前記第２の情報の前記端末装置への出力を制御し、
前記端末装置は、
前記情報処理装置との情報の授受を制御する第２の入出力制御手段と、
番組を取得する取得手段と、
前記第２の入出力制御手段により入力が制御された前記第２の情報に基づいて、前記取得手段により取得された前記番組の再生を制御する再生制御手段とを備えることを特徴とする番組視聴サービスシステム。
【請求項３５】  ネットワークを介して接続される、サービス提供者が管理する情報処理装置と、顧客が有する端末装置とからなる番組視聴サービスシステムの番組視聴サービス提供方法において、
前記情報処理装置の情報処理方法は、
所定の番組を意味内容に沿って構成要素に分割された第１の情報、および、前記構成要素の内容を示す第２の情報を取得する取得ステップと、
前記第１の情報および前記第２の情報の記録を制御する記録制御ステップと、
前記記録制御ステップの処理により記録が制御された前記第２の情報に対応する前記構成要素を参照する参照ステップと、
前記端末装置との情報の授受を制御する第１の入出力制御ステップと
を含み、
前記第１の入出力制御ステップでは前記第２の情報の前記端末装置への出力を制御し、
前記端末装置の情報処理方法は、
前記情報処理装置との情報の授受を制御する第２の入出力制御ステップと、
番組を取得する取得ステップと、
前記第２の入出力制御ステップの処理により入力が制御された前記第２の情報に基づいて、前記取得ステップの処理により取得された前記番組の再生を制御する再生制御ステップと
を含むことを特徴とする番組視聴サービス提供方法。
【手続補正２】
【補正対象書類名】明細書
【補正対象項目名】００１３
【補正方法】変更
【補正の内容】
【００１３】
【課題を解決するための手段】
本発明の番組録画支援システムは、情報処理装置が、端末装置との情報の授受を制御する第１の入出力制御手段と、番組情報の記録を制御する第１の記録制御手段と、顧客情報の記録を制御する第２の記録制御手段と、録画予約される番組のセットを示す第１の情報を生成する第１の生成手段と、顧客毎の第１の情報の購読に関する第２の情報の記録を制御する第３の記録制御手段と、第１の入出力制御手段により入力が制御された第３の情報を基に、第３の記録制御手段により記録が制御された第２の情報を更新する更新手段とを備え、第１の入出力制御手段は、第１の情報の、対応する顧客が有する端末装置への出力を制御し、端末装置が、番組を取得する取得手段と、情報処理装置との情報の授受を制御する第２の入出力制御手段と、顧客が実行した操作の入力を制御する入力制御手段と、第２の入出力制御手段により入力が制御された第１の情報に基づいて、取得手段により取得された番組の録画を設定する録画設定手段とを備え、第２の入出力制御手段は、入力制御手段により入力が制御された前記第３の情報の、情報処理装置への出力を制御することを特徴とする。
【手続補正３】
【補正対象書類名】明細書
【補正対象項目名】００３４
【補正方法】変更
【補正の内容】
【００３４】
本発明の番組録画支援方法は、情報処理装置の情報処理方法が、端末装置との情報の授受を制御する第１の入出力制御ステップと、番組情報の記録を制御する第１の記録制御ステップと、顧客情報の記録を制御する第２の記録制御ステップと、録画予約される番組のセットを示す第１の情報を生成する第１の生成ステップと、顧客毎の第１の情報の購読に関する第２の情報の記録を制御する第３の記録制御ステップと、第１の入出力制御ステップの処理により入力が制御された第３の情報を基に、第３の記録制御ステップの処理により記録が制御された第２の情報を更新する更新手段とを含み、第１の入出力制御ステップでは、第１の情報の、対応する顧客が有する端末装置への出力を制御し、端末装置の情報処理方法が、番組を取得する取得ステップと、情報処理装置との情報の授受を制御する第２の入出力制御ステップと、顧客が実行した操作の入力を制御する入力制御ステップと、第２の入出力制御ステップの処理により入力が制御された第１の情報に基づいて、取得ステップの処理により取得された番組の録画を設定する録画設定ステップとを含み、第２の入出力制御ステップでは、入力制御ステップの処理により入力が制御された第３の情報の、情報処理装置への出力を制御することを特徴とする。
【手続補正４】
【補正対象書類名】明細書
【補正対象項目名】００４２
【補正方法】変更
【補正の内容】
【００４２】
本発明の第３の番組視聴サービスシステムは、情報処理装置が、端末装置との情報の授受を制御する第１の入出力制御手段と、番組情報の記録を制御する第１の記録制御手段と、顧客情報の記録を制御する第２の記録制御手段と、所定の番組を意味内容に沿って構成要素に分割する分割手段と、構成要素の内容を示す第１の情報を生成する第１の生成手段と、第１の情報に対応する構成要素を参照する参照手段と、第１の情報の記録を制御する第３の記録制御手段と、録画予約される番組のセットを示す第２の情報を生成する第２の生成手段と、顧客毎の第２の情報の購読に関する第３の情報の記録を制御する第４の記録制御手段とを備え、第１の入出力制御手段は、第１の情報および第２の情報の、対応する顧客が有する端末装置への出力を制御し、端末装置が、番組を取得する取得手段と、情報処理装置との情報の授受を制御する第２の入出力制御手段と、顧客が実行した操作の入力を制御する入力制御手段と、第２の入出力制御手段により入力が制御された第２の情報に基づいて、取得手段により取得された番組の録画を設定する録画設定手段と、録画設定手段により録画された番組の記録を制御する第５の記録制御手段と、第２の入出力制御手段により入力が制御された第１の情報に基づいて、第５の記録制御手段により記録が制御された複数の番組を再構成して第４の情報を生成する第３の生成手段とを備えることを特徴とする。
【手続補正５】
【補正対象書類名】明細書
【補正対象項目名】００４５
【補正方法】変更
【補正の内容】
【００４５】
本発明の第３の番組視聴サービス提供方法は、情報処理装置の情報処理方法が、端末装置との情報の授受を制御する第１の入出力制御ステップと、番組情報の記録を制御する第１の記録制御ステップと、顧客情報の記録を制御する第２の記録制御ステップと、所定の番組を意味内容に沿って構成要素に分割する分割ステップと、構成要素の内容を示す第１の情報を生成する第１の生成ステップと、第１の情報に対応する構成要素を参照する参照ステップと、第１の情報の記録を制御する第３の記録制御ステップと、録画予約される番組のセットを示す第２の情報を生成する第２の生成ステップと、顧客毎の第２の情報の購読に関する第３の情報の記録を制御する第４の記録制御ステップとを含み、第１の入出力制御ステップでは、第１の情報および第２の情報の、対応する顧客が有する端末装置への出力を制御し、端末装置の情報処理方法が、番組を取得する取得ステップと、情報処理装置との情報の授受を制御する第２の入出力制御ステップと、顧客が実行した操作の入力を制御する入力制御ステップと、第２の入出力制御ステップの処理により入力が制御された第２の情報に基づいて、取得ステップの処理により取得された番組の録画を設定する録画設定ステップと、録画設定ステップの処理により録画された番組の記録を制御する第５の記録制御ステップと、第２の入出力制御ステップの処理により入力が制御された第１の情報に基づいて、第５の記録制御ステップの処理により記録が制御された複数の番組を再構成して第４の情報を生成する第３の生成ステップとを含むことを特徴とする。
【手続補正６】
【補正対象書類名】明細書
【補正対象項目名】００４６
【補正方法】変更
【補正の内容】
【００４６】
本発明の第４の番組視聴サービスシステムは、情報処理装置が、所定の番組を意味内容に沿って構成要素に分割された第１の情報、および、構成要素の内容を示す第２の情報を取得する取得手段と、第１の情報および第２の情報の記録を制御する記録制御手段と、記録制御手段により記録が制御された第２の情報に対応する構成要素を参照する参照手段と、端末装置との情報の授受を制御する第１の入出力制御手段とを備え、第１の入出力制御手段は第２の情報の端末装置への出力を制御し、端末装置は、情報処理装置との情報の授受を制御する第２の入出力制御手段と、番組を取得する取得手段と、第２の入出力制御手段により入力が制御された第２の情報に基づいて、取得手段により取得された番組の再生を制御する再生制御手段とを備えることを特徴とする。
【手続補正７】
【補正対象書類名】明細書
【補正対象項目名】００４７
【補正方法】変更
【補正の内容】
【００４７】
本発明の第４の番組視聴サービス提供方法は、情報処理装置の情報処理方法が、所定の番組を意味内容に沿って構成要素に分割された第１の情報、および、構成要素の内容を示す第２の情報を取得する取得ステップと、第１の情報および第２の情報の記録を制御する記録制御ステップと、記録制御ステップの処理により記録が制御された第２の情報に対応する構成要素を参照する参照ステップと、端末装置との情報の授受を制御する第１の入出力制御ステップとを含み、第１の入出力制御ステップでは第２の情報の端末装置への出力を制御し、端末装置の情報処理方法が、情報処理装置との情報の授受を制御する第２の入出力制御ステップと、番組を取得する取得ステップと、第２の入出力制御ステップの処理により入力が制御された第２の情報に基づいて、取得ステップの処理により取得された番組の再生を制御する再生制御ステップとを含むことを特徴とする。
【手続補正８】
【補正対象書類名】明細書
【補正対象項目名】００４８
【補正方法】変更
【補正の内容】
【００４８】
本発明の番組録画支援システムおよび番組録画支援方法においては、情報処理装置で、端末装置との情報の授受が制御され、番組情報の記録が制御され、顧客情報の記録が制御され、録画予約される番組のセットを示す第１の情報が生成され、顧客毎の第１の情報の購読に関する第２の情報の記録が制御され、第３の情報を基に、第２の情報が更新され、第１の情報が、対応する顧客が有する端末装置へ出力され、端末装置で、番組が取得され、情報処理装置との情報の授受が制御され、顧客が実行した操作の入力が制御され、入力された第１の情報に基づいて、取得された番組の録画が設定され、入力された第３の情報の、情報処理装置への出力が制御される。
【手続補正９】
【補正対象書類名】明細書
【補正対象項目名】００５１
【補正方法】変更
【補正の内容】
【００５１】
本発明の第３の番組視聴サービスシステムおよび番組視聴サービス提供方法においては、情報処理装置で、端末装置との情報の授受が制御され、番組情報の記録が制御され、顧客情報の記録が制御され、所定の番組が意味内容に沿って構成要素に分割され、構成要素の内容を示す第１の情報が生成され、第１の情報に対応する構成要素が参照され、第１の情報の記録が制御され、録画予約される番組のセットを示す第２の情報が生成され、顧客毎の第２の情報の購読に関する第３の情報の記録が制御され、第１の情報および第２の情報の、対応する顧客が有する端末装置への出力が制御され、端末装置で、番組が取得され、情報処理装置との情報の授受が制御され、顧客が実行した操作の入力が制御され、入力された第２の情報に基づいて、取得された番組の録画が設定され、録画された番組の記録が制御され、入力された第１の情報に基づいて、記録された複数の番組を再構成して第４の情報が生成される。
【手続補正１０】
【補正対象書類名】明細書
【補正対象項目名】００５２
【補正方法】変更
【補正の内容】
【００５２】
本発明の第４の番組視聴サービスシステムおよび番組視聴サービス提供方法においては、情報処理装置で、所定の番組が意味内容に沿って構成要素に分割された第１の情報、および、構成要素の内容を示す第２の情報が取得され、第１の情報および第２の情報の記録が制御され、記録された第２の情報に対応する構成要素が参照され、端末装置との情報の授受が制御され、第２の情報の端末装置への出力が制御され、端末装置で、情報処理装置との情報の授受が制御され、番組が取得され、入力された第２の情報に基づいて、取得された番組が再生される。
【手続補正１１】
【補正対象書類名】明細書
【補正対象項目名】０１３７
【補正方法】変更
【補正の内容】
【０１３７】
【発明の効果】
本発明の番組録画支援システムおよび番組録画支援方法によれば、情報処理装置で、端末装置との情報の授受を制御し、番組情報の記録を制御し、顧客情報の記録を制御し、録画予約される番組のセットを示す第１の情報を生成し、顧客毎の第１の情報の購読に関する第２の情報の記録を制御し、第３の情報を基に、第２の情報を更新し、第１の情報を、対応する顧客が有する端末装置へ出力し、端末装置で、番組を取得し、情報処理装置との情報の授受を制御し、顧客が実行した操作の入力を制御し、入力された第１の情報に基づいて、取得された番組の録画を設定し、入力された第３の情報の、情報処理装置への出力を制御するようにしたので、ユーザの所望する形態で、放送コンテンツの録画の支援を行うことができる。
【手続補正１２】
【補正対象書類名】明細書
【補正対象項目名】０１４０
【補正方法】変更
【補正の内容】
【０１４０】
本発明の第３の番組視聴サービスシステムおよび番組視聴サービス提供方法によれば、情報処理装置で、端末装置との情報の授受を制御し、番組情報の記録を制御し、顧客情報の記録を制御し、所定の番組を意味内容に沿って構成要素に分割し、構成要素の内容を示す第１の情報を生成し、第１の情報に対応する構成要素を参照し、第１の情報の記録を制御し、録画予約される番組のセットを示す第２の情報を生成し、顧客毎の第２の情報の購読に関する第３の情報の記録を制御し、第１の情報および第２の情報の、対応する顧客が有する端末装置への出力を制御し、端末装置で、番組を取得し、情報処理装置との情報の授受を制御し、顧客が実行した操作の入力を制御し、入力された第２の情報に基づいて、取得された番組の録画を設定し、録画された番組の記録を制御し、入力された第１の情報に基づいて、記録された複数の番組を再構成して第４の情報を生成するようにしたので、ユーザの所望する形態で、放送コンテンツの録画の支援を行ったり、複数の放送コンテンツの中から、ユーザが所望する内容に合致する部分を抽出して、別の独立したコンテンツとして再構成することができるサービスを提供することができる。
【手続補正１３】
【補正対象書類名】明細書
【補正対象項目名】０１４１
【補正方法】変更
【補正の内容】
【０１４１】
本発明の第４の番組視聴サービスシステムおよび番組視聴サービス提供方法によれば、情報処理装置で、所定の番組が意味内容に沿って構成要素に分割された第１の情報、および、構成要素の内容を示す第２の情報を取得し、第１の情報および第２の情報の記録を制御し、記録された第２の情報に対応する構成要素を参照し、端末装置との情報の授受を制御し、第２の情報の端末装置への出力を制御し、端末装置で、情報処理装置との情報の授受を制御し、番組を取得し、入力された第２の情報に基づいて、取得された番組を再生するようにしたので、複数の放送コンテンツの中から、ユーザが所望する内容に合致する部分を抽出して、別の独立したコンテンツとして再構成することができるサービスを提供することができる。